(57)【要約】      （修正有）【課題】使用者に適した運動を指導できる運動指導システム、指導内容生成方法、運動指導装置及び指導内容生成装置を提供する。【解決手段】使用者の体動を検出する体動検出装置（測定装置２）と、使用者の筋肉量を測定する筋肉量測定装置（測定装置２）と、体動検出装置（測定装置２）による検出結果、及び、筋肉量測定装置（測定装置２）による測定結果に基づいて、使用者が行うべき運動の指導内容を提示する運動指導装置（情報処理装置３）と、を有する。【選択図】図１
2017000454.tif 000002
【特許請求の範囲】
【請求項１】
使用者の体動を検出する体動検出装置と、
前記使用者の筋肉量を測定する筋肉量測定装置と、
前記体動検出装置による検出結果、及び、前記筋肉量測定装置による測定結果に基づいて、前記使用者が行うべき運動の指導内容を提示する運動指導装置と、を有することを特徴とする運動指導システム。
【請求項２】
請求項１に記載の運動指導システムにおいて、
前記指導内容は、スポーツにおける特定の動きを改善する指導内容であることを特徴とする運動指導システム。
【請求項３】
請求項２に記載の運動指導システムにおいて、
前記指導内容を生成する指導内容生成装置を備え、
前記指導内容生成装置は、
前記使用者が前記特定の動きを実施した際の前記体動検出装置による検出結果に基づいて、前記特定の動きの理想形に対する差異を抽出する差異抽出部と、
前記筋肉量測定装置により測定された前記使用者の筋肉量に基づいて、抽出された前記差異を解消する筋肉の部位に応じた前記指導内容を生成する指導内容生成部と、を有し、
前記運動指導装置は、前記指導内容生成装置により生成された前記指導内容を提示することを特徴とする運動指導システム。
【請求項４】
請求項３に記載の運動指導システムにおいて、
前記指導内容生成部は、前記差異を解消するために鍛えるべき筋肉の部位を含む前記指導内容を生成することを特徴とする運動指導システム。
【請求項５】
請求項３又は請求項４に記載の運動指導システムにおいて、
前記指導内容生成部は、前記差異を解消する筋肉の使い方を含む前記指導内容を生成することを特徴とする運動指導システム。
【請求項６】
請求項３から請求項５のいずれか一項に記載の運動指導システムにおいて、
前記指導内容生成装置は、前記理想形を記憶する記憶部を有し、
前記差異抽出部は、前記特定の動きに応じた前記理想形を前記記憶部から取得して、前記差異を抽出することを特徴とする運動指導システム。
【請求項７】
請求項６に記載の運動指導システムにおいて、
前記運動指導装置は、
前記使用者による入力操作を受け付ける操作部と、
前記入力操作に基づいて、前記使用者が実施する予定の運動の種別である実施予定種別を取得する種別取得部と、を有し、
前記差異抽出部は、取得された前記実施予定種別に基づいて、前記記憶部から前記理想形を取得することを特徴とする運動指導システム。
【請求項８】
請求項１から請求項７のいずれか一項に記載の運動指導システムにおいて、
前記筋肉量測定装置は、前記使用者に装着され、前記筋肉量を測定するための測定部を有し、
前記運動指導装置は、
前記使用者による入力操作を受け付ける操作部と、
前記入力操作に基づいて、前記使用者が実施する予定の運動の種別である実施予定種別を取得する種別取得部と、
取得された前記実施予定種別に基づいて、前記測定部を装着させて前記筋肉量を測定させる測定部位を提示する測定部位提示部を有することを特徴とする運動指導システム。
【請求項９】
使用者が実施する運動の指導内容を生成する指導内容生成装置を用いて実施される指導内容生成方法であって、
前記使用者の体動及び筋肉量を計測し、
前記体動及び前記筋肉量の計測結果に基づいて、前記使用者が行うべき運動の指導内容を生成することを特徴とする指導内容生成方法。
【請求項１０】
使用者の体動の検出結果を取得する体動取得部と、
前記使用者の筋肉量の測定結果を取得する筋肉量取得部と、
前記体動の検出結果、及び、前記筋肉量の測定結果に基づいて、前記使用者が行うべき運動の指導内容を提示する指導内容提示部と、を有することを特徴とする運動指導装置。
【請求項１１】
使用者の体動の検出結果を取得する体動取得部と、
前記使用者の筋肉量の測定結果を取得する筋肉量取得部と、
前記体動の検出結果、及び、前記筋肉量の測定結果に基づいて、前記使用者が行うべき運動の指導内容を生成する指導内容生成部と、を有することを特徴とする指導内容生成装置。
【発明の詳細な説明】
【技術分野】
【０００１】
本発明は、運動指導システム、指導内容生成方法、運動指導装置及び指導内容生成装置に関する。
【背景技術】
【０００２】
従来、被験者の身体各部の筋肉量である実筋肉量を測定し、当該実筋肉量と理想筋肉量とを表示するとともに、当該被験者が行うべきトレーニングメニューを表示する身体トレーニングアドバイス装置が知られている（例えば、特許文献１参照）。
【０００３】
この特許文献１に記載の身体トレーニングアドバイス装置では、体幹、左右上腕、左右前腕及び左右下腿の９箇所の実測筋肉量が測定及び算出される。この後、当該実測筋肉量に基づいて、被験者の性別及び身長を考慮した理想筋肉量が算出される他、現在の筋肉量（体内総筋肉量）の１割増しである目標筋肉量が算出される。これら実測筋肉量、理想筋肉量及び目標筋肉量は、レーダーチャートによりグラフ表示される他、当該各筋肉量に基づく運動メニューが作成及び提示される。この運動メニューには、例えば、現状の筋肉量から推定される最大筋力と、理想筋肉量から推定される最大筋力とのバランスに基づくベンチプレスやアップライト等の項目の目標値（回数）が含まれる。
このようにして提示される運動メニューを被験者が実施することにより、必要以上に筋肉に負荷をかけないトレーニングを実施できる。
【先行技術文献】
【特許文献】
【０００４】
【特許文献１】特開２００８−３５８７６号公報
【発明の概要】
【発明が解決しようとする課題】
【０００５】
ところで、使用者が実施する運動には、特定の動きが含まれるものがある。このような動きとして、例えばゴルフにおけるクラブのスイング、野球におけるバットのスイング、及び、ランニング時のフォームが挙げられる。これらの動きの質を高めることによって、競技における使用者の成績を向上させることができる。
しかしながら、上記特許文献１に記載の身体トレーニングアドバイス装置では、筋肉量を高める運動を使用者に実施させることに主眼を置いており、運動時における使用者の身体の動きとアドバイスとの関連性に乏しいという問題がある。
【０００６】
本発明は、上記課題の少なくとも一部を解決することを目的としたものであり、使用者に適した運動を指導できる運動指導システム、指導内容生成方法、運動指導装置及び指導内容生成装置を提供することを目的の１つとする。
【課題を解決するための手段】
【０００７】
本発明の第１態様に係る運動指導システムは、使用者の体動を検出する体動検出装置と、前記使用者の筋肉量を測定する筋肉量測定装置と、前記体動検出装置による検出結果、及び、前記筋肉量測定装置による測定結果に基づいて、前記使用者が行うべき運動の指導内容を提示する運動指導装置と、を有することを特徴とする。
【０００８】
上記第１態様によれば、体動検出装置によって検出された使用者の体動、及び、筋肉量測定装置によって測定された使用者の筋肉量に基づく、使用者が行うべき運動の指導内容が提示される。これによれば、筋肉量に起因した動きの問題点を改善可能な指導内容を使用者に提示でき、当該指導内容に基づいて使用者が運動を実施することにより、当該使用者が効果的な運動を実施できる。従って、使用者に適した運動を指導できる。
【０００９】
上記第１態様では、前記指導内容は、スポーツにおける特定の動きを改善する指導内容であることが好ましい。
このような特定の動きとしては、ゴルフにおけるクラブのスイング、野球におけるバットのスイング、並びに、テニス及びバドミントン等におけるラケットのスイングを例示できる。
ここで、上記に特定の動きとして例示したスイングを改善することにより、当該競技における使用者の成績を向上させることができる。このため、上記第１態様では、当該特定の動きを改善する指導内容が提示されるので、当該指導内容に基づいて使用者が上記特定の動きを実施することにより、当該スポーツにおける使用者の成績を向上させることができる。また、スポーツにおいてスイング等の特定の動きは、理想的な動きが確立しており、比較的良し悪しを判別しやすい。このことから、使用者の動きにおける問題点を比較的容易に把握でき、使用者にとって適した指導を確実に実施できる。
【００１０】
上記第１態様では、前記指導内容を生成する指導内容生成装置を備え、前記指導内容生成装置は、前記使用者が前記特定の動きを実施した際の前記体動検出装置による検出結果に基づいて、前記特定の動きの理想形に対する差異を抽出する差異抽出部と、前記筋肉量測定装置により測定された前記使用者の筋肉量に基づいて、抽出された前記差異を解消する筋肉の部位に応じた前記指導内容を生成する指導内容生成部と、を有し、前記運動指導装置は、前記指導内容生成装置により生成された前記指導内容を提示することが好ましい。
なお、指導内容生成装置は、運動指導装置と一体であっても別体であってもよい。
上記第１態様によれば、指導内容生成装置の差異抽出部が、特定の動きの理想形に対する使用者が実施した動きとの差異を抽出し、指導内容生成部が、測定された筋肉量に基づいて、当該差異を解消する筋肉の部位に応じた指導内容を生成する。これによれば、筋肉の動かし方についての指導や、筋力が不足している筋肉についての指導を行うことにより、使用者の動きを理想的な動きに近づけることができる。従って、使用者個人で効果的な運動を実施できる。
【００１１】
上記第１態様では、前記指導内容生成部は、前記差異を解消するために鍛えるべき筋肉の部位を含む前記指導内容を生成することが好ましい。
上記第１態様によれば、提示される指導内容によって示される筋肉を鍛錬することにより、使用者の動きを理想的な動きに確実に近づけることができる。従って、使用者個人でより効果的な運動を実施できる。
【００１２】
上記第１態様では、前記指導内容生成部は、前記差異を解消する筋肉の使い方を含む前記指導内容を生成することが好ましい。
上記第１態様によれば、提示される指導内容によって示される筋肉の使い方を実践することにより、使用者の動きを理想的な動きに確実に近づけることができる。従って、使用者個人でより効果的な運動を実施できる。
【００１３】
上記第１態様では、前記指導内容生成装置は、前記理想形を記憶する記憶部を有し、前記差異抽出部は、前記特定の動きに応じた前記理想形を前記記憶部から取得して、前記差異を抽出することが好ましい。
上記第１態様によれば、記憶部に上記理想形が記憶されていることにより、当該理想形と、実施された使用者の特定の動きとを確実に比較でき、上記差異を確実に抽出できる。従って、使用者により実施された上記特定の動きを改善するための指導内容を確実に提示できる。
【００１４】
上記第１態様では、前記運動指導装置は、前記使用者による入力操作を受け付ける操作部と、前記入力操作に基づいて、前記使用者が実施する予定の運動の種別である実施予定種別を取得する種別取得部と、を有し、前記差異抽出部は、取得された前記実施予定種別に基づいて、前記記憶部から前記理想形を取得することが好ましい。
上記第１態様によれば、種別取得部が、使用者の実施予定種別を取得することにより、当該実施予定種別に応じた理想形を確実かつ迅速に記憶部から取得できる他、種別が異なる理想形と、使用者の動きとが比較されることを抑制できる。従って、使用者により実施された運動に対する適切な指導を確実に実施できる。
【００１５】
上記第１態様では、前記筋肉量測定装置は、前記使用者に装着され、前記筋肉量を測定するための測定部を有し、前記運動指導装置は、前記使用者による入力操作を受け付ける操作部と、前記入力操作に基づいて、前記使用者が実施する予定の運動の種別である実施予定種別を取得する種別取得部と、取得された前記実施予定種別に基づいて、前記測定部を装着させて前記筋肉量を測定させる測定部位を提示する測定部位提示部を有することが好ましい。
上記第１態様によれば、測定部位提示部が、使用者の実施予定種別に応じた上記測定部位を提示する。これによれば、当該実施予定種別に適さない部位に当該測定部が装着されることを抑制でき、使用者の身体において適切な部位に上記測定部を確実に装着させることができる。従って、当該適切な部位の筋肉量を確実に測定できる。
【００１６】
本発明の第２態様に係る指導内容生成方法は、使用者が実施する運動の指導内容を生成する指導内容生成装置を用いて実施される指導内容生成方法であって、前記使用者の体動及び筋肉量を計測し、前記体動及び前記筋肉量の計測結果に基づいて、前記使用者が行うべき運動の指導内容を生成することを特徴とする。
上記第２態様によれば、指導内容生成装置を用いて当該指導内容生成方法を実施し、生成された指導内容を使用者に提示することにより、上記第１態様に係る運動指導システムと同様の効果を奏することができる。
【００１７】
本発明の第３態様に係る運動指導装置は、使用者の体動の検出結果を取得する体動取得部と、前記使用者の筋肉量の測定結果を取得する筋肉量取得部と、前記体動の検出結果、及び、前記筋肉量の測定結果に基づいて、前記使用者が行うべき運動の指導内容を提示する指導内容提示部と、を有することを特徴とする。
上記第３態様によれば、上記第１態様に係る運動指導システムと同様の効果を奏することができる。
【００１８】
本発明の第４態様に係る指導内容生成装置は、使用者の体動の検出結果を取得する体動取得部と、前記使用者の筋肉量の測定結果を取得する筋肉量取得部と、前記体動の検出結果、及び、前記筋肉量の測定結果に基づいて、前記使用者が行うべき運動の指導内容を生成する指導内容生成部と、を有することを特徴とする。
上記第４態様によれば、上記第２態様に係る指導内容生成方法と同様に、生成された指導内容を使用者に提示することにより、上記第１態様に係る運動指導システムと同様の効果を奏することができる。
【図面の簡単な説明】
【００１９】
【図１】本発明の第１実施形態に係る運動指導システムの構成を示す模式図。
【図２】上記第１実施形態における情報処理装置の構成を示すブロック図。
【図３】上記第１実施形態における制御部の構成を示すブロック図。
【図４】上記第１実施形態における運動選択画面の一例を示す図。
【図５】上記第１実施形態における測定部位提示画面の一例を示す図。
【図６】上記第１実施形態における筋肉量提示画面の一例を示す図。
【図７】上記第１実施形態における解析結果画面の一例を示す図。
【図８】上記第１実施形態における解析結果画面の一例を示す図。
【図９】上記第１実施形態における解析結果画面の一例を示す図。
【図１０】上記第１実施形態における解析結果画面の一例を示す図。
【図１１】上記第１実施形態における解析結果画面の一例を示す図。
【図１２】上記第１実施形態におけるゴルフの基本スイングにおける理想形の一例を示す図。
【図１３】上記第１実施形態における理想的な動きの内容と使用者の動きの内容との差異、及び、理想的な筋肉の付き方と使用者の筋肉の付き方との差異のそれぞれの一例を示す図。
【図１４】上記第１実施形態における指導内容提示画面の一例を示す図。
【図１５】上記第１実施形態における運動指導処理を示すフローチャート。
【図１６】本発明の第２実施形態に係る運動指導システムの構成を示すブロック図。
【図１７】上記第２実施形態における情報処理装置の構成を示すブロック図。
【図１８】上記第２実施形態におけるサーバーの構成を示すブロック図。
【図１９】上記第２実施形態における運動指導処理を示すフローチャート。
【発明を実施するための形態】
【００２０】
以下、本発明の第１実施形態について、図面に基づいて説明する。
［第１実施形態］
図１は、本実施形態に係る運動指導システム１の全体構成を示す模式図である。
本実施形態に係る運動指導システム１は、図１に示すように、使用者ＵＳの身体に装着される測定装置２と、当該測定装置２による測定結果に基づいて、使用者ＵＳが行うべき運動の指導内容を提示する運動指導装置としての情報処理装置３と、を備える。
具体的に、運動指導システム１では、例えば、ゴルフのスイングを改善したい使用者に対して、情報処理装置３が、上記測定装置２による測定結果に基づくスイングの問題点を解消可能な身体の動かし方や、当該問題点を解消するために鍛えるべき身体の部位を提示して、当該スイングを改善させ、ひいては、スイングの質を向上させるものである。
以下、当該運動指導システム１の構成について詳述する。
【００２１】
［測定装置の構成］
測定装置２は、本発明の体動検出装置に相当する他、本発明の筋肉量測定装置の一部を構成する。この測定装置２は、使用者ＵＳの各部の動きを計測する複数の動きセンサー２１と、当該使用者ＵＳにおける測定部位の筋肉量を測定するための測定部としての複数の測定シート２２と、これら動きセンサー２１及び測定シート２２の動作を制御するとともに、これらによる測定結果を外部機器（例えば情報処理装置３）に送信する制御部２３と、を有する。
【００２２】
［動きセンサーの構成］
動きセンサー２１は、それぞれ、加速度センサーやジャイロセンサーを備えて構成され、使用者ＵＳの身体において運動時の節となる部位（例えば関節部分）や、動きが大きな部位（例えば頭部）に装着される。具体的に本実施形態では、動きセンサー２１は、図１に示すように、頭部、両肩、両肘、両手首、腰、両膝及び両足首に装着される。これら動きセンサー２１は、近距離無線通信方式等の通信規格に準拠した無線通信により、制御部２３と通信し、それぞれの検出結果を制御部２３に送信する。しかしながら、これに限らず、各動きセンサー２１は、制御部２３に有線にて接続されてもよい。
【００２３】
［測定シートの構成］
測定シート２２は、制御部２３と有線で接続され、当該制御部２３から入力される電流を測定部位に導通させ、身体を導通して入力される電流を制御部２３に出力する。
このような測定シート２２は、使用者ＵＳが行う運動がゴルフクラブのスイングであるため、図１の例ではそれぞれ左右の前腕部及び下腿部に取り付けられている。しかしながら、測定シート２２は、使用者が実施する運動の種別によって身体への取付位置（貼付位置）が変更される。すなわち、これら測定シート２２は、使用者ＵＳの身体において筋肉量を測定したい部位に貼付される。このような取付位置は、後述する情報処理装置３に対して使用者ＵＳが、実施する予定の運動の種別を入力することにより、当該情報処理装置３に表示される。そして、使用者ＵＳが、当該情報処理装置３での表示内容に応じて測定シート２２を身体に装着することにより、適した位置に測定シート２２を取り付けることができる他、当該種別の運動に必要な部位の筋肉量を測定できる。
【００２４】
そして、測定シート２２を介して身体に出力された電流の電圧値、及び、身体を介して測定シート２２に入力された電流の電圧値に基づいて算出される生体インピーダンス値と、使用者ＵＳの体重等の使用者情報とに基づいて、筋肉量が算出される。このような筋肉量は、本実施形態では、後述する情報処理装置３によって行われる。しかしながら、制御部２３が、当該使用者情報を取得可能であれば、当該制御部２３が筋肉量を算出してもよい。
【００２５】
［制御部の構成］
制御部２３は、各動きセンサー２１及び各測定シート２２と無線及び有線にて接続され、これらの動作を制御する他、情報処理装置３と無線又は有線にて通信し、これら動きセンサー２１及び測定シート２２による測定結果を、測定結果情報として送信する。
具体的に、制御部２３は、各動きセンサー２１から受信される計測結果（使用者ＵＳの動きに応じた各部位での加速度及び角速度の検出結果）を取得する。
また、制御部２３は、各測定シート２２に電流を供給し、当該測定シート２２から入力される電流の電圧値を取得し、測定シート２２毎（すなわち、測定部位毎）に上記生体インピーダンス値を算出する。
そして、制御部２３は、動きセンサー２１による検出結果、及び、各測定部位の生体インピーダンス値を含む計測結果情報を、それぞれ、情報処理装置３に送信する。
なお、本実施形態では、制御部２３が生体インピーダンス値を算出しているが、これに限らず、後述する情報処理装置３が算出してもよい。この場合、制御部２３は、測定シート２２に供給した電流の電圧値及び当該測定シート２２から入力される電流の電圧値を、情報処理装置３に送信すればよい。
【００２６】
［情報処理装置の構成］
図２は、情報処理装置３の構成を示すブロック図である。
情報処理装置３は、本実施形態においては、本発明の運動指導装置及び指導内容生成装置に相当し、例えばスマートフォン（多機能携帯電話機）や、タブレット及びＰＣ（Personal Computer）により構成される。この情報処理装置３は、測定装置２から受信される計測結果情報に基づいて、使用者ＵＳが行うべき運動の指導内容を生成及び提示する。このような情報処理装置３は、図２に示すように、操作部３１、報知部３２、通信部３３、記憶部３４及び制御部３５を有し、これら各部３１〜３５は、バスラインＢＬによって互いに電気的に接続されている。
【００２７】
［操作部の構成］
操作部３１は、使用者ＵＳによる入力操作を受け付け、当該入力操作に応じた操作信号を制御部３５に出力する。このような操作部３１は、例えば、情報処理装置３の筐体に設けられた物理キーやタッチパネル等により構成できる他、当該情報処理装置３に有線又は無線で接続されるキーボード及びポインティングデバイス等により構成できる。
【００２８】
［報知部の構成］
報知部３２は、制御部３５による制御の下、使用者ＵＳに各種情報を報知する。この報知部３２は、表示部３２１及び音声出力部３２２を有する。
表示部３２１は、液晶等の各種表示パネルを有し、後述する報知制御部３５２による制御の下、所定の画像を表示する。例えば、このような画像として、後述する画面生成部３５４によって生成されるアプリケーションの実行時画面が挙げられる。このため、表示部３２１は、本発明の指導内容提示部及び測定部位提示部を構成する。
音声出力部３２２は、スピーカー等の音声出力手段を備えて構成され、制御部３５から入力される音声情報に応じた音声を出力する。
なお、報知部３２は、本実施形態においては振動部を有しない。しかしながら、当該情報処理装置３が、スマートフォンやタブレットにより構成されている場合には、報知部３２は、制御部３５から入力される制御信号に応じて振動を発生して、所定の情報を報知する振動部を有していてもよい。
【００２９】
［通信部の構成］
通信部３３は、上記測定装置２と通信可能な第１通信モジュールと、インターネット等のネットワーク上の外部機器と通信可能な第２通信モジュールとを有し、制御部３５による制御の下、それぞれの機器と通信する。なお、通信部３３は、測定装置２と通信する際の通信方式と同じ通信方式にて、当該ネットワーク上の外部機器と通信可能な場合には、第１通信モジュール及び第２通信モジュールのうち一方を備えていればよい。また、ネットワーク上の外部機器と通信する必要が無ければ、通信部３３は、第２通信モジュールを備えなくてもよい。
【００３０】
［記憶部の構成］
記憶部３４は、ＨＤＤ（Hard Disk Drive）、ＳＳＤ（Solid State Drive）或いはフラッシュメモリー等により構成され、情報処理装置３の動作に必要な各種プログラム及びデータを記憶している。このようなプログラムとして、記憶部３４は、例えばＯＳ（Operating System）や、後述する運動指導処理を実行するための運動指導アプリケーション（運動指導プログラムを含むアプリケーション）を記憶している。この他、記憶部３４は、上記データとして、使用者ＵＳにより入力された使用者の身長、体重、年齢及び性別等の個人情報を記憶している。
また、記憶部３４は、通信部３３を介して測定装置２から受信された上記計測結果情報を記憶する。この際、記憶部３４は、計測結果情報が取得された日時と関連付けて当該計測結果情報を記憶する。なお、このような日時を示す日時情報は、計測日時を示す情報として計測結果情報に含まれて測定装置２から送信されてもよい。
【００３１】
更に、記憶部３４は、使用者ＵＳが実施しようとしている運動の種別（以下、実施予定種別という）毎に、測定すべき筋肉量の部位と、理想的な身体の動きの内容と、理想的な筋肉の付き方と、を記憶している。
これらのうち、測定すべき筋肉の部位は、換言すると、上記測定シート２２による測定部位である。なお、当該種別毎に記憶部３４に記憶された測定部位は、当該種別にて少なくとも測定する必要がある部位であり、使用者ＵＳが自ら他の部位にも上記測定シート２２を装着する点については問題ない。
理想的な身体の動きは、換言すると、当該身体の動きが行われた際の上記動きセンサー２１による検出結果である。以下では、これら実施予定種別毎の理想的な身体の動きの内容及び筋肉の付き方を、理想形と総称する。
なお、実施予定種別毎の身体の動きとしては、例えばゴルフにおける基本スイングと、ドライバー及びアイアン等のクラブを用いた場合のスイングであるクラブ別スイング、並びに、アプローチ及びパッティング等の用途別スイングのそれぞれにおける身体の動きが挙げられる。
【００３２】
［制御部の構成］
図３は、制御部３５の構成を示すブロック図である。
制御部３５は、ＣＰＵ（Central Processing Unit）等の処理回路を備えて構成され、記憶部３４に記憶されたプログラムを実行することにより、情報処理装置３の動作を制御する。このような制御部３５は、図３に示すように、ＯＳ実行部３５Ａ及びＡＰ実行部３５Ｂと、を有する。
【００３３】
［ＯＳ実行部の構成］
ＯＳ実行部３５Ａは、記憶部３４に記憶されたＯＳを実行する機能部であり、計時部３５１、報知制御部３５２及び通信制御部３５３を有する。
計時部３５１は、現在日時を計時する。
報知制御部３５２は、図示を省略するが、表示制御部及び音声出力制御部を有する。表示制御部は、ＯＳの実行時画面の画像を表示部３２１に表示させる他、各種アプリケーションの実行時画面をＡＰ実行部３５Ｂから取得して、当該画面を表示部３２１に表示させる。音声出力制御部は、ＯＳや当該プログラムの実行時に生成された音声信号を出力して、当該音声信号に応じた音声を上記音声出力部３２２に出力させる。
通信制御部３５３は、通信部３３による外部機器との通信を制御する。
【００３４】
［ＡＰ実行部の構成］
ＡＰ実行部３５Ｂは、記憶部３４に記憶されたアプリケーションのうち、操作部３１から入力される操作信号に応じてＯＳ実行部３５Ａにより指定されたアプリケーションを実行する。このＡＰ実行部３５Ｂは、上記運動指導アプリケーションが実行されることによって機能する画面生成部３５４、情報取得部３５５、測定部位特定部３５６、筋肉量取得部３５７、評価部３５８、解析部３５９、差異抽出部３６０及び指導内容生成部３６１を有する。
【００３５】
［画面生成部の構成］
図４は、実施予定種別を選択させる運動選択画面Ｓ１の一例を示す図である。なお、図４では、スポーツ選択欄Ｓ１１１にてゴルフが選択され、種別選択欄Ｓ１１２にて基本スイングが選択されている運動選択画面Ｓ１が示されている。
画面生成部３５４は、運動指導アプリケーションの実行時画面を生成する。例えば、画面生成部３５４は、当該運動指導アプリケーションが実行された際に、図４に一例が示される運動選択画面Ｓ１を生成する。この運動選択画面Ｓ１は、上記表示制御部により表示部３２１に表示される。
【００３６】
この運動選択画面Ｓ１は、使用者ＵＳがこれから実施する運動の種別（実施予定種別）を選択させる画面であり、詳細表示領域Ｓ１１及びボタン領域Ｓ１２を有する。これらのうち、ボタン領域Ｓ１２には、ＯＫボタンＳ１２１及びキャンセルボタンＳ１２２が配置されている。
詳細表示領域Ｓ１１には、それぞれスポーツ名が表記された複数のスポーツ選択欄Ｓ１１１が左側に配列されている。これら選択欄Ｓ１１１のいずれかが選択されると、当該選択欄Ｓ１１１に表記されたスポーツにおける特定の動きが表記された複数の種別選択欄Ｓ１１２が表示される。これら種別選択欄Ｓ１１２から実施予定種別が使用者ＵＳにより選択され、ＯＫボタンＳ１２１が押下されると、使用者ＵＳの実施予定種別が入力される。
なお、キャンセルボタンＳ１２２が押下された場合には、当該運動選択画面Ｓ１は非表示となる。
更に、画面生成部３５４は、後述する測定部位提示画面Ｓ２、筋肉量提示画面Ｓ３、指導内容提示画面Ｓ４及び解析結果画面ＤＳ（ＤＳ１〜ＤＳ５）を生成する。これら各画面も、上記表示制御部により、上記表示部３２１に表示される。
【００３７】
［情報取得部の構成］
図３に戻り、情報取得部３５５は、情報処理装置３に入力される各種情報を取得する。具体的に、情報取得部３５５は、操作部３１から入力される操作信号に基づいて、使用者ＵＳの入力操作の内容を取得する。例えば、上記運動選択画面Ｓ１の表示時に操作部３１から入力される操作信号に基づいて、情報取得部３５５は、使用者ＵＳにより選択された上記実施予定種別を取得する。すなわち、情報取得部３５５は、本発明の種別取得部の機能を含む。
また、情報取得部３５５は、上記通信部３３を介して測定装置２から上記計測結果情報を取得し、当該計測結果情報を日時と関連付けて記憶部３４に記憶させる。
【００３８】
［測定部位特定部の構成］
図５は、使用者ＵＳにより選択された実施予定種別に応じた上記動きセンサー２１及び測定シート２２による測定部位を示す測定部位提示画面Ｓ２の一例を示す図である。
測定部位特定部３５６は、上記情報取得部３５５により取得された実施予定種別の運動に必要な筋肉の筋肉量を測定する必要がある部位（測定部位）、換言すると、上記測定シート２２を装着させる部位（装着部位）を上記記憶部３４から取得して、当該部位を特定する。これにより、上記画面生成部３５４が、図５に一例が示される測定部位提示画面Ｓ２を生成し、当該画面Ｓ２を表示部３２１に表示させる。この場合、画面生成部３５４は、測定部としての測定シート２２を装着させて筋肉量を測定させる部位を提示する本発明の測定部位提示部に相当する。
【００３９】
この測定部位提示画面Ｓ２は、詳細表示領域Ｓ２１及びボタン領域Ｓ２２を有する。
詳細表示領域Ｓ２１には、人体を模した図形Ｓ２１１が設定され、上記動きセンサー２１による検出部位を示す図形Ｓ２１２（黒い四角）と、上記測定シート２２による測定部位を示す図形Ｓ２１３（斜線の長方形）と、これら動きセンサー２１及び測定シート２２の装着位置を示す文字Ｓ２１４と、が配置されている。
ボタン領域Ｓ２２には、ＯＫボタンＳ２２１及びスキップボタンＳ２２２が配設されている。これらのうち、ＯＫボタンＳ２２１が押下されると、通信部３３を介して測定装置２に、各測定シート２２を用いた筋肉量の測定（本実施形態では、生体インピーダンス値の算出）を実行させる制御信号を出力する。この制御信号を受信した制御部２３は、使用者ＵＳの身体を導通した電流電圧の測定、及び、上記生体インピーダンスの算出を実行し、これらを含む計測結果情報を情報処理装置３に送信する。
なお、スキップボタンＳ２２２が押下された場合には、筋肉量の測定処理は行われず、動きセンサー２１を用いた動き検出のみが行われる。
【００４０】
［筋肉量取得部の構成］
筋肉量取得部３５７は、使用者ＵＳにおける各測定部位の筋肉量を取得する。具体的に、筋肉量取得部３５７は、測定装置２から受信された計測結果情報のうち、上記各測定部位の生体インピーダンス値に基づいて、当該各測定部位における筋肉量を算出する。すなわち、本実施形態では、当該筋肉量取得部３５７及び上記測定装置２により、本発明の筋肉量測定装置が構成される。
なお、測定装置２から各測定部位の筋肉量を含む計測結果情報が受信される場合には、筋肉量取得部３５７は、当該計測結果情報から各測定部位の筋肉量を取得する。一方、当該計測結果情報から、各測定部位に対する印加電圧値、及び、身体を導通して測定シート２２に入力された電圧値が取得される場合には、筋肉量取得部３５７が、生体インピーダンス値の算出、及び、各測定部位における筋肉量の算出を行う。
【００４１】
［評価部の構成］
評価部３５８は、使用者ＵＳの各測定部位における筋肉量に基づいて、実施予定種別毎に使用者ＵＳの筋肉の付き方を評価する。
具体的に、評価部３５８は、取得された各測定部位の筋肉量と、上記実施予定種別及び身体の部位のそれぞれに応じて設定された筋肉量の範囲とに基づいて、各測定部位を「Ａ（よく発達している）」、「Ｂ（発達している）」及び「Ｃ（標準）」及び「Ｄ（あまり発達していない）」のいずれかに分類する。例えば、算出された筋肉量が、実施予定種別及び測定部位に応じて設定された範囲のうち「Ｃ」と評価される範囲内にあれば、評価部３５８は、該当する部位を上記「Ｃ」と評価する。
【００４２】
図６は、使用者ＵＳの筋肉量を示す筋肉量提示画面Ｓ３の一例を示す図である。
このような評価部３５８による評価結果は、取得された筋肉量とともに、図６に一例が示される筋肉量提示画面Ｓ３にて、使用者ＵＳに提示される。
この筋肉量提示画面Ｓ３は、詳細表示領域Ｓ３１及びボタン領域Ｓ３２を有する。
詳細表示領域Ｓ３１には、上記実施予定種別に応じた測定部位毎の筋肉量が示される他、上記評価部３５８による各測定部位の筋肉の付き方の評価結果が設定される。
ボタン領域Ｓ３２には、ＯＫボタンＳ３２１が配置され、当該ＯＫボタンＳ３２１が押下されると、所定の画面（例えばメニュー画面）に遷移される。
なお、このような筋肉量提示画面Ｓ３は、必ずしも表示される画面ではなく、使用者ＵＳの操作部３１に対する入力操作に応じて上記画面生成部３５４が生成して表示される。
【００４３】
［解析部の構成］
図３に戻り、解析部３５９は、使用者ＵＳによる上記実施予定種別の運動の実施時の各動きセンサー２１による計測結果が取得された後に機能する。この解析部３５９は、当該計測結果に基づいて、実施予定種別の運動を実施した際の使用者ＵＳの動きを解析する。
例えば、実施予定種別がゴルフの基本スイングである場合には、解析部３５９は、当該計測結果に基づいて、スイング、インパクト、スピード、シャフト回転及びテンポの各解析項目について使用者ＵＳの動きを解析する。
【００４４】
図７〜図１１は、解析部３５９による解析結果を示す解析結果画面ＤＳ（ＤＳ１〜ＤＳ５）の一例を示す図である。詳述すると、図７〜図１１は、それぞれ、スイング解析結果画面ＤＳ１、インパクト解析結果画面ＤＳ２、スピード解析結果画面ＤＳ３、シャフト回転解析結果画面ＤＳ４及びテンポ解析結果画面ＤＳ５のそれぞれの一例を示す図である。
例えば、解析部３５９は、身体及びクラブに取り付けられた動きセンサー２１による計測結果に基づいて、クラブの軌道等のスイング解析、インパクト時のフェース角等のインパクト解析、ヘッドスピード等のスピード解析、シャフトの回転角等のシャフト回転解析、及び、スイング時のリズム等のテンポ解析を行う。これら解析部３５９による解析結果は、画面生成部３５４によって生成される解析結果画面ＤＳ（ＤＳ１〜ＤＳ５）、すなわち、図７〜図１１に一例が示される解析結果画面ＤＳに含められ、表示部３２１に表示される。
【００４５】
［差異抽出部の構成］
図１２は、記憶部３４に記憶された種別毎の理想形のうち、ゴルフの基本スイングにおける理想形（理想的な動きの内容及び理想的な筋肉の付き方）の一例を示す図である。
図３に戻り、差異抽出部３６０は、解析部３５９による解析結果、及び、記憶部３４に記憶された実施予定種別毎の上記理想形に基づいて、使用者ＵＳと理想形との差異を抽出し、当該差異を現在の使用者ＵＳの問題点（課題）とする。
ここで、記憶部３４には、上記のように、実施予定種別毎に理想形が記憶されている。この理想形には、理想的な身体の動きの内容と、理想的な筋肉の付き方とが含まれている。例えば、実施予定種別に含まれるゴルフの基本スイングに対しては、図１２に示すように、上記解析項目毎に、理想的な身体の動きの内容、及び、理想的な筋肉の付き方が、理想形として記憶部３４に記憶されている。
【００４６】
図１３は、理想的な動きの内容と使用者ＵＳの動きの内容との差異、及び、理想的な筋肉の付き方と使用者ＵＳの筋肉の付き方との差異のそれぞれの一例を示す図である。
これに対し、差異抽出部３６０は、当該理想的な動きの内容に対する、解析部３５９によって解析された使用者ＵＳの動きの内容の差異を、上記解析項目毎に抽出する。例えば、差異抽出部３６０は、図１３に示すように、上記スイング解析から「Ｖゾーンが広め」である点、上記インパクト解析から「フェースが開き気味」である点、上記スピード解析から「スピード不足」である点、シャフト回転解析から「回転角が大きい」点、テンポ解析から「ダウンスイング（の時間）が長い」点を上記差異、すなわち、使用者ＵＳの動きにおける問題点として抽出する。
【００４７】
また、差異抽出部３６０は、上記理想的な筋肉の付き方に対する、上記評価部３５８によって評価された使用者ＵＳの筋肉の付き方の差異を、上記項目毎に抽出する。
ここで、図６に示したように、評価部３５８によって、使用者ＵＳの右前腕部、左前腕部、腰部、右下腿部及び左下腿部の筋肉量は、それぞれ「Ａ」、「Ｂ」、「Ｃ」、「Ｂ」、「Ｂ」と評価されていた。一方、図１３に示したように、記憶部３４には、実施予定種別である「ゴルフの基本スイング」における解析項目のそれぞれ対して理想的な筋肉の付き方が記憶されている。
そして、差異抽出部３６０は、当該理想的な筋肉の付き方と、使用者の各測定部位の筋肉の付き方とを比較する。そして、各解析項目において差異となる測定部位、詳述すると、理想的な筋肉の付き方に対して使用者ＵＳの筋肉の付き方が劣る測定部位を抽出する。図１３に示した例では、「○」が付された箇所が、理想に対して使用者ＵＳの筋肉の付き方が劣る測定部位である。
【００４８】
また、差異抽出部３６０は、上記評価部３５８による評価結果に基づいて、筋肉の付き方が左右で異なる測定部位を抽出する。例えば、上記使用者ＵＳの筋肉の付き方についての評価では、左右の下腿部についてはそれぞれ「Ｂ」であることから、左右の下腿部においてはバランスが取れていると判断される。しかしながら、左右の前腕部については、右前腕部が「Ａ」であるのに対し、左前腕部は「Ｂ」である。このため、差異抽出部３６０は、前腕部を左右でバランスが取れていない測定部位として抽出する。図１３に示した例では、点線の四角で示された箇所が、左右でバランスが取れていない測定部位である。
【００４９】
［指導内容生成部の構成］
図３に戻り、指導内容生成部３６１は、上記差異抽出部３６０による抽出結果に基づいて、使用者ＵＳが行うべき運動の内容を示す指導内容を生成する。すなわち、指導内容生成部３６１は、上記抽出結果に基づいて、使用者ＵＳが行った動きの問題箇所、すなわち、理想形に対する差異を解消するために鍛えるべき部位や、当該動きを改善するために使用者ＵＳが身体を動かす際に注意すべき部位を特定する。
例えば上記実施予定種別がゴルフの基本スイングであり、使用者ＵＳにより実施された動きの解析結果が図１３に示したものである場合、スイング解析の解析項目では、指導内容生成部３６１は、スイング解析における「Ｖゾーンが広め」という差異に対して、原因を「左前腕部の筋力不足による左右のバランス欠如」及び「腰部筋力の不足による下半身の不安定」と判断し、問題箇所を左前腕部及び腰部と特定する。
【００５０】
そして、指導内容生成部３６１は、当該スイング解析の解析結果に対して「左前腕部に位置する筋肉（例えば長掌筋）」及び「腰部に位置する筋肉（例えば腹筋及び背筋）」を鍛錬すべき部位とする指導内容を生成する。更に、指導内容生成部３６１は、当該部位の運動メニューの例を生成する。
一方、一般的に、筋肉の変化はトレーニングを実施しても２週間程度は起こらない。このため、現状の使用者ＵＳの動きから上記差異（問題点）を解消するための指導内容を生成する。例えば、上記スイング解析の結果に対して、指導内容生成部３６１は「意識的に右前腕部の力を抜き気味にして左右のバランスを取るとともに、腰部を意識してスイングした方がよい」旨のアドバイスを含む指導内容を生成する。
このような指導内容の生成は、差異があると判断された上記解析項目毎に行われる。
なお、上記図１３で示した内容を含む抽出結果画面が生成及び表示されてもよい。
【００５１】
図１４は、指導内容提示画面Ｓ４の一例を示す図である。
上記指導内容生成部３６１により指導内容が生成されると、上記画面生成部３５４は、当該指導内容を含む、例えば図１４に示すような指導内容提示画面Ｓ４を生成し、当該画面Ｓ４を表示部３２１に表示させる。
この指導内容提示画面Ｓ４は、詳細表示領域Ｓ４１及びボタン領域Ｓ４２を有する。
詳細表示領域Ｓ４１には、上記解析項目毎に生成された指導内容が設定される指導内容設定領域Ｓ４１１〜Ｓ４１５が含まれる。これら設定領域Ｓ４１１〜Ｓ４１５には、三角形を模したアイコンＣＮが設定され、当該アイコンＣＮが押下されると、該当する解析項目に対する指導内容が閲覧可能となる他、再度押下されると、当該指導内容が非表示とされる。そして、各解析項目に対する指導内容には、上記指導内容生成部３６１により生成された指導内容（問題点、鍛錬すべき部位、実施すべき運動の内容及び上記アドバイス）が設定される。
ボタン領域Ｓ４２には、ＯＫボタンＳ４２１が配設され、当該ＯＫボタンＳ４２１が押下されると、指導内容提示画面Ｓ４は非表示となる。
【００５２】
［運動指導処理］
図１５は、運動指導処理を示すフローチャートである。
上記制御部３５（ＡＰ実行部３５Ｂ）は、記憶部３４に記憶された運動指導アプリケーションを実行することにより、以下の運動指導処理を実行する。この運動指導処理は、本実施形態において、本発明の指導内容生成方法を含む処理である。
この運動指導処理では、図１５に示すように、まず、画面生成部３５４が、上記運動選択画面Ｓ１を生成して、当該画面Ｓ１を表示させる（ステップＳＴ０１）。
そして、情報取得部３５５が、当該運動選択画面Ｓ１に対する使用者ＵＳの入力操作により設定された上記実施予定種別を取得する（ステップＳＴ０２）。
この後、測定部位特定部３５６が、取得された実施予定種別に応じた測定部位を記憶部３４から取得し、当該測定部位に基づく上記測定部位提示画面Ｓ２を、画面生成部３５４が生成し、当該画面Ｓ２を表示させる（ステップＳＴ０３）。
【００５３】
上記測定部位提示画面Ｓ２にてＯＫボタンＳ２２１が入力されると、上記のように、通信部３３を介して測定装置２に制御信号が送信され、制御部２３から測定シート２２に電流が供給される。そして、制御部２３によって、当該制御部２３に測定シート２２を介して入力される電流の電圧値に基づく生体インピーダンス値の算出が実行され、当該測定シート２２毎の生体インピーダンス値を含む計測結果情報が、情報取得部３５５により取得される。
この計測結果情報に基づいて、筋肉量取得部３５７が、設定された上記実施予定種別に応じた身体の各測定部位の筋肉量が算出される（ステップＳＴ０４）。そして、算出された筋肉量に基づいて、上記評価部３５８が、各測定部位の筋肉の付き方を評価する。
【００５４】
使用者ＵＳにより上記実施予定種別の運動が実施されると、情報取得部３５５により、各動きセンサー２１による計測結果を含む計測結果情報が測定装置２から取得され（ステップＳＴ０５）、解析部３５９が、当該計測結果に基づく使用者ＵＳの動きを解析する（ステップＳＴ０６）。
この後、差異抽出部３６０が、解析部３５９による解析結果に基づいて、記憶部３４に記憶された上記実施予定種別に応じた理想形に対する使用者ＵＳの動きの内容及び筋肉の付き方のそれぞれの差異を抽出する（ステップＳＴ０７）。
【００５５】
次に、指導内容生成部３６１が、上記差異抽出部３６０によって抽出された差異に基づいて上記指導内容を生成する（ステップＳＴ０８）。
そして、画面生成部３５４が、当該指導内容に基づく上記指導内容提示画面Ｓ４を生成し（ステップＳＴ０９）、これにより、当該指導内容提示画面Ｓ４が、表示部３２１に表示される。
【００５６】
この後、ＡＰ実行部３５Ｂは、操作部３１から入力される操作信号に基づいて、使用者ＵＳによって実施予定種別を変更する入力操作が実施されたか否かを判定する（ステップＳＴ１０）。
このステップＳＴ１０の判定処理により、実施予定種別を変更する入力操作が行われたと判定されると（ステップＳＴ１０：ＹＥＳ）、当該ＡＰ実行部３５Ｂは、処理をステップＳＴ０１に戻す。
一方、ステップＳＴ１０の判定処理により、実施予定種別を変更する入力操作が行われていないと判定されると（ステップＳＴ１０：ＮＯ）、使用者ＵＳによる当該実施予定種別の運動の実施に備え、ＡＰ実行部３５Ｂは、処理をステップＳＴ０５に戻す。なお、再度、筋肉量を測定する場合には、ＡＰ実行部３５Ｂは、処理をステップＳＴ０４に戻す。
他方、使用者ＵＳにより、運動指導アプリケーションの終了操作が行われた場合には、ＡＰ実行部３５Ｂは、測定装置２の制御部２３に動きセンサー２１による動き検出を停止させる制御信号を送信するとともに、当該運動指導アプリケーションを終了させる。
【００５７】
［第１実施形態の効果］
以上説明した本実施形態に係る運動指導システム１によれば、以下の効果がある。
測定装置２によって検出された使用者ＵＳの動きと、当該測定装置２及び筋肉量取得部３５７によって測定された使用者ＵＳの筋肉量に基づいて、上記指導内容生成部３６１が、使用者ＵＳが行うべき運動の指導内容を生成する。そして、当該指導内容は、上記指導内容提示画面Ｓ４に含められて、表示部３２１に表示される。これによれば、筋肉量に起因した動きの問題点を改善可能な指導内容を使用者ＵＳに提示でき、当該指導内容に基づいて使用者ＵＳが運動を実施することにより、当該使用者ＵＳが効果的な運動を実施できる。従って、使用者ＵＳに適した運動を指導できる。
また、このような運動指導システム１の構成によれば、ジム等にて大がかりな装置を用いることなく、使用者ＵＳの動き及び筋肉量に応じた運動指導を得られるので、使用者ＵＳに適した練習及びトレーニングを個人で行うことができる。
【００５８】
ここで、使用者ＵＳに提示される指導内容は、上記スポーツ選択欄Ｓ１１１にて選択可能なスポーツにおけるスイング等の特定の動きに応じたものである。このような指導内容に基づいて使用者ＵＳが運動を実施し、当該特定の動きを改善することにより、当該スポーツにおける使用者ＵＳの成績を向上させることができる。また、スイング等の特定の動きは、理想的な動きが確立しており、比較的良し悪しを判別しやすい。このことから、使用者ＵＳの動きにおける問題点を比較的容易に把握でき、使用者ＵＳにとって適した指導を確実に実施できる。
【００５９】
差異抽出部３６０は、上記理想形に含まれる理想的な身体の動きの内容に対する使用者ＵＳの動きの内容との差異を抽出し、指導内容生成部３６１が、測定された筋肉量に基づく使用者ＵＳの筋肉の付き方の評価に基づいて、当該差異を解消する筋肉の部位に応じた指導内容を生成する。これによれば、筋肉の動かし方についての指導や、筋力が不足している筋肉についての指導を行うことにより、使用者ＵＳの動きを理想的な動きに近づけることができる。従って、使用者ＵＳ個人で効果的な運動を実施できる。
【００６０】
指導内容生成部３６１は、理想的な身体の動きの内容と、使用者ＵＳの動きの内容との差異を解消するために、鍛えるべき筋肉の部位が含まれる指導内容を生成する。これによれば、提示される指導内容によって示される筋肉（図１４に示した例では、左前腕部及び腰部の筋肉）を鍛錬することにより、使用者ＵＳの動きを理想的な動きに確実に近づけることができる。従って、使用者ＵＳ個人でより効果的な運動を実施できる。
【００６１】
指導内容生成部３６１により生成される指導内容には、上記差異を解消する筋肉の使い方が含まれる。これによれば、提示される指導内容によって示される筋肉の使い方を実践することにより、使用者ＵＳの動きを理想的な動きに確実に近づけることができる。従って、使用者ＵＳ個人でより効果的な運動を実施できる。
【００６２】
記憶部３４には、上記実施予定種別毎の理想形が記憶され、差異抽出部３６０は、使用者により選択されたスポーツにおける特定の動きである実施予定種別に応じた理想形を記憶部３４から取得して、上記差異を抽出する。これによれば、記憶部３４に当該理想形が記憶されていることにより、当該理想形に含まれる理想的な身体の動きの内容と、使用者ＵＳにより実施された動きの内容とを確実に比較でき、上記差異を確実に抽出できる。従って、使用者ＵＳにより実施された実施予定種別の運動、すなわち、上記特定の動きを改善するための指導内容を確実に提示できる。
【００６３】
情報処理装置３は、使用者ＵＳによる入力操作を受け付ける操作部３１と、当該入力操作に基づいて、使用者ＵＳの実施予定種別を取得する情報取得部３５５と、を有する。そして、上記差異抽出部３６０は、取得された実施予定種別に応じた理想形を記憶部３４から取得して、当該理想形に含まれる理想的な身体の動きの内容と使用者ＵＳの動きの内容との差異、及び、理想的な筋肉の付き方と使用者ＵＳの筋肉の付き方との差異を抽出する。これによれば、実施予定種別に応じた上記理想形を確実かつ迅速に記憶部３４から取得できる他、種別が異なる理想形と、使用者ＵＳの動きとが比較されることを抑制できる。従って、使用者ＵＳにより実施された運動に対する適切な指導を確実に実施できる。
【００６４】
測定装置２は、使用者ＵＳに装着される測定部としての測定シート２２を有し、測定部位提示画面Ｓ２にて、使用者ＵＳにより選択された実施予定種別に応じた筋肉の測定部位であり、当該測定シート２２が装着される測定部位が示される。これによれば、使用者ＵＳの実施予定種別に適さない部位に測定シート２２が装着されることを抑制でき、使用者ＵＳの身体において適切な部位に当該測定シート２２を確実に装着させることができる。従って、実施予定種別の運動に適切な部位の筋肉量を確実に測定できる。
【００６５】
［第２実施形態］
次に、本発明の第２実施形態について説明する。
本実施形態に係る運動指導システムは、上記運動指導システムと同様の構成を備える他、上記指導内容を生成するサーバーを備え、情報処理装置が、当該サーバーによって生成された指導内容を取得及び表示する。この点で、本実施形態に係る運動指導システムと、上記運動指導システム１とは相違する。なお、以下の説明では、既に説明した部分と同一又は略同一である部分については、同一の符号を付して説明を省略する。
【００６６】
図１６は、本実施形態に係る運動指導システム１Ａの構成を示すブロック図である。
本実施形態に係る運動指導システム１Ａは、図１６に示すように、使用者ＵＳにより直接使用される測定装置２及び情報処理装置３Ａの他、当該情報処理装置３ＡとネットワークＮＴを介して通信接続されるサーバー４と、を備える。
この運動指導システム１Ａでは、測定装置２から上記計測結果情報を情報処理装置３Ａが取得する点は、上記運動指導システム１と同じである。しかしながら、当該計測結果情報の解析及び上記指導内容の作成等の処理は、サーバー４により実施され、情報処理装置３Ａは、サーバー４から取得された情報を表示部３２１に表示させる等して、使用者ＵＳに提示する。この点で、運動指導システム１Ａと運動指導システムとは相違する。
以下、運動指導システム１Ａにおける情報処理装置３Ａ及びサーバー４の構成について説明するが、運動指導システム１Ａにおける測定装置２は、上記構成と同様である。
【００６７】
［情報処理装置の構成］
図１７は、情報処理装置３Ａの構成を示すブロック図である。
情報処理装置３Ａは、図１７に示すように、上記情報処理装置３と同様の構成及び機能を有するが、記憶部３４に記憶された運動指導アプリケーションが上記第１実施形態にて示した運動指導アプリケーションと異なるため、ＡＰ実行部３５Ｂの構成が異なる。具体的に、情報処理装置３ＡのＡＰ実行部３５Ｂは、当該運動指導アプリケーションが実行されることによって機能する画面生成部３５４、情報取得部３５５及び送受信部３６２を有する。
【００６８】
これらのうち、送受信部３６２は、上記情報取得部３５５により取得される情報を、通信部３３を介してサーバー４に送信する他、当該サーバー４から送信された情報を、通信部３３を介して取得する。
例えば、送受信部３６２は、上記実施予定種別や個人情報等の使用者ＵＳにより入力及び選択された情報や、測定装置２から取得された計測結果情報をサーバー４に送信する。
また、送受信部３６２は、サーバー４から送信された各種情報、すなわち、上記各画面Ｓ１〜Ｓ４，ＤＳを生成するための情報を取得する。これにより、画面生成部３５４が当該各画面Ｓ１〜Ｓ４，ＤＳを生成可能となり、表示部３２１によって当該各画面Ｓ１〜Ｓ４，ＤＳが表示可能となる。
【００６９】
［サーバーの構成］
図１８は、サーバー４の構成を示すブロック図である。
サーバー４は、本発明の指導内容生成装置に相当し、上記のように、情報処理装置３Ａから受信される上記計測結果情報や使用者の入力操作に応じた情報を取得して、上記情報処理装置３が実行した処理の一部を実行する。このサーバー４は、図１８に示すように、通信部４１、記憶部４２及び制御部４３を少なくとも有する。
これらのうち、通信部４１は、制御部４３による制御の下、インターネット等のネットワークＮＴを介して情報処理装置３Ａと通信接続する。
【００７０】
記憶部４２は、サーバー４の動作に必要なＯＳ及びデータを記憶している。また、記憶部４２は、後述する運動指導処理を実行するための運動指導プログラムを記憶している他、上記記憶部３４に記憶されている各種情報を記憶している。
例えば、記憶部４２は、サーバー４と通信可能な情報処理装置３Ａの固有情報（ＩＰアドレス等）、及び、上記使用者ＵＳの個人情報を記憶している。更に、記憶部４２は、情報処理装置３Ａから送信されて取得された実施予定種別、及び、測定装置２による計測結果情報を、日時情報及び情報処理装置３Ａの固有情報（又は使用者ＵＳの固有情報）と関連付けて記憶している。加えて、記憶部４２は、実施予定種別毎の筋肉量の測定部位及び上記理想形を記憶している。
【００７１】
制御部４３は、ＣＰＵ等の処理回路を備えて構成され、記憶部４２に記憶されたプログラムを実行して、サーバー４の動作を自律的に制御する。この他、制御部４３は、情報処理装置３Ａから受信された情報を処理して、処理結果を当該情報処理装置３Ａに送信する。このような制御部４３は、記憶部４２に記憶された運動指導プログラムを実行することによりそれぞれ機能する送受信部４３１、測定部位特定部３５６、筋肉量取得部３５７、評価部３５８、解析部３５９、差異抽出部３６０及び指導内容生成部３６１を有する。
【００７２】
これらのうち、送受信部４３１は、本発明の体動取得部及び種別取得部に相当し、通信部４１を介して情報処理装置３Ａから受信される各種情報を取得する。また、送受信部４３１は、上記各機能部３５６〜３６１による処理結果を、対応する情報処理装置３Ａに送信する。
このような送受信部４３１により、対応する情報処理装置３Ａには、取得された実施予定種別に応じて測定部位特定部３５６により特定された上記測定部位が送信される。これにより、情報処理装置３Ａの画面生成部３５４によって上記測定部位提示画面Ｓ２が生成可能となる。
【００７３】
また、送受信部４３１により、情報処理装置３Ａには、使用者ＵＳの筋肉量に対する評価部３５８による評価（筋肉の付き方の評価）が送信される。これにより、当該画面生成部３５４によって上記筋肉量提示画面Ｓ３が生成可能となる。
更に、送受信部４３１により、情報処理装置３Ａには、実施予定種別の運動を実施した際の使用者ＵＳの動きについての解析部３５９による解析結果が送信される。これにより、当該画面生成部３５４によって上記解析結果画面ＤＳ（ＤＳ１〜ＤＳ５）が生成可能となる。
加えて、送受信部４３１により、情報処理装置３Ａには、差異抽出部３６０によって抽出された理想形との差異に基づいて指導内容生成部３６１によって生成された指導内容が送信される。これにより、当該画面生成部３５４によって上記指導内容提示画面Ｓ４が生成可能となる。
【００７４】
［運動指導処理］
図１９は、運動指導システム１Ａによる運動指導処理を示すフローチャートである。
上記運動指導システム１Ａでは、情報処理装置３Ａとサーバー４とが共同して、以下に示す運動指導処理を実行する。この運動指導処理は、本実施形態において、本発明の指導内容生成方法を含む処理である。
この運動指導処理では、図２０に示すように、まず、情報処理装置３Ａの画面生成部３５４が運動選択画面Ｓ１を生成して、当該画面Ｓ１を表示させる（ステップＳＴＡ１）。
次に、情報取得部３５５が、当該画面Ｓ１の表示時における操作部３１に対する使用者ＵＳの入力操作に基づいて、当該使用者ＵＳの実施予定種別を取得し、送受信部３６２が、当該実施予定種別を示す情報をサーバー４に送信する（ステップＳＴＡ２）。この後、情報処理装置３ＡのＡＰ実行部３５Ｂは、処理をステップＳＴＡ３に移行する。
【００７５】
サーバー４では、情報処理装置３Ａから実施予定種別を示す情報が受信されると、測定部位特定部３５６が、当該実施予定種別に応じた筋肉量の測定部位を記憶部４２から取得し、当該測定部位を示す情報を情報処理装置３Ａに送信する（ステップＳＴＢ１）。この後、サーバー４の制御部４３は、処理をステップＳＴＢ２に移行する。
【００７６】
サーバー４から上記測定部位を示す情報が受信された情報処理装置３Ａでは、当該情報に基づいて、画面生成部３５４が、上記測定部位提示画面Ｓ２を生成し、当該画面Ｓ２を表示させる（ステップＳＴＡ３）。
そして、当該画面Ｓ２にてＯＫボタンＳ２２１が押下されると、測定装置２に制御信号が送信されて筋肉量の測定処理（正確には生体インピーダンス値の測定処理）が実施され、情報取得部３５５によって取得された測定結果が、送受信部３６２によってサーバー４に送信される（ステップＳＴＡ４）。この後、ＡＰ実行部３５Ｂは、処理をステップＳＴＡ５に移行する。
【００７７】
上記ステップＳＴＡ４により、上記測定結果が受信されたサーバー４では、筋肉量取得部３５７が、当該測定結果に基づいて各測定部位の筋肉量を算出し、評価部３５８が、当該筋肉量に基づいて、使用者ＵＳの筋肉の付き方を評価する（ステップＳＴＢ２）。
そして、送受信部４３１が、算出された筋肉量及び筋肉の付き方の評価結果を示す情報を、情報処理装置３Ａに送信する（ステップＳＴＢ３）。この後、制御部４３は、処理をステップＳＴＢ４に移行する。
【００７８】
上記ステップＳＴＢ３にて送信された情報を取得した情報処理装置３Ａでは、画面生成部３５４が、当該情報に基づいて上記筋肉量提示画面Ｓ３を生成し、当該画面Ｓ３を表示させる（ステップＳＴＡ５）。なお、この画面Ｓ３の表示は、上記のように、使用者ＵＳの任意である。
そして、使用者ＵＳにより上記実施予定種別の運動が実施され、情報処理装置３Ａの情報取得部３５５が、当該運動の実施時の動きセンサー２１による計測結果を取得すると、送受信部３６２が、当該計測結果をサーバー４に送信する（ステップＳＴＡ６）。この後、ＡＰ実行部３５Ｂは、処理をステップＳＴＡ７に移行する。
【００７９】
ステップＳＴＡ６にて送信された計測結果を受信したサーバー４では、解析部３５９が、当該計測結果を解析し、送受信部４３１が、解析部３５９による解析結果を情報処理装置３Ａに送信する（ステップＳＴＢ４）。
このステップＳＴＢ４にて送信された解析結果を取得した情報処理装置３Ａでは、画面生成部３５４が、当該解析結果に基づいて上記解析結果画面ＤＳ（ＤＳ１〜ＤＳ５）を生成し、当該画面ＤＳを表示させる（ステップＳＴＡ７）。なお、これら画面ＤＳの表示も、使用者ＵＳの任意である。
【００８０】
一方、サーバー４では、上記ステップＳＴＢ４に続いて、差異抽出部３６０が、記憶部４２に記憶された実施予定種別毎の理想的な身体の動きと使用者ＵＳの動きとの差異、及び、記憶部４２に記憶された実施予定種別毎の理想的な筋肉の付き方と使用者ＵＳの筋肉の付き方との差異を抽出し、指導内容生成部３６１が、抽出された差異に基づいて上記指導内容を生成する。そして、送受信部４３１が、生成された指導内容を情報処理装置３Ａに送信する（ステップＳＴＢ５）。
【００８１】
ステップＳＴＢ５にて送信された指導内容を受信した情報処理装置３Ａでは、当該指導内容に基づいて、画面生成部３５４が、上記指導内容提示画面Ｓ４を生成し、当該画面Ｓ４を表示させる（ステップＳＴＡ８）。
【００８２】
この後、ＡＰ実行部３５Ｂは、上記ステップＳＴ１０と同様に、使用者ＵＳによって実施予定種別を変更する入力操作が実施されたか否かを判定する（ステップＳＴＡ９）。
このステップＳＴＡ９の判定処理により、実施予定種別を変更する入力操作が行われたと判定されると（ステップＳＴＡ９：ＹＥＳ）、当該ＡＰ実行部３５Ｂは、処理をステップＳＴＡ１に戻す。
一方、ステップＳＴＡ９の判定処理により、実施予定種別を変更する入力操作が行われていないと判定されると（ステップＳＴＡ９：ＮＯ）、使用者ＵＳによる当該実施予定種別の運動の実施に備え、ＡＰ実行部３５Ｂは、処理をステップＳＴＡ６に戻す。なお、再度、筋肉量を測定する場合には、ＡＰ実行部３５Ｂは、処理をステップＳＴＡ４に戻す。
他方、使用者ＵＳにより、運動指導アプリケーションの終了操作が行われた場合には、ＡＰ実行部３５Ｂは、動きセンサー２１による動き検出を停止させる制御信号を測定装置２に送信するとともに、当該運動指導アプリケーションを終了させる。
【００８３】
上記ステップＳＴＢ５の後、制御部４３は、情報処理装置３Ａから受信される情報に基づいて、使用者ＵＳによって実施予定種別を変更する入力操作が実施されたか否かを判定する（ステップＳＴＢ６）。
このステップＳＴＢ６の判定処理により、実施予定種別を変更する入力操作が行われたと判定されると（ステップＳＴＢ６：ＹＥＳ）、制御部４３は、処理をステップＳＴＢ１に戻す。
一方、ステップＳＴＢ６の判定処理により、実施予定種別を変更する入力操作が行われていないと判定されると（ステップＳＴＢ６：ＮＯ）、使用者ＵＳによる当該実施予定種別の運動の実施に備え、制御部４３は、処理をステップＳＴＢ４に戻す。なお、再度、筋肉量が測定される場合には、制御部４３は、処理をステップＳＴＢ２に戻す。
他方、使用者ＵＳにより、情報処理装置３Ａにて実行中の運動指導アプリケーションの終了操作が行われた旨の制御信号が受信された場合や、情報処理装置３Ａとの通信が所定時間行われなかった場合には、制御部４３は、実行中の運動指導アプリケーションを終了させる。
以上により、運動指導処理が終了される。
【００８４】
なお、本実施形態では、サーバー４は、送受信部４３１により、各画面Ｓ１〜Ｓ４，ＤＳを生成するために必要な情報を情報処理装置３Ａに送信する構成とした。しかしながら、これに限らず、制御部４３が、これら画面Ｓ１〜Ｓ４，ＤＳを生成する画面生成部３５４を有し、送受信部４３１が、生成された各画面Ｓ１〜Ｓ４，ＤＳの画像情報を情報処理装置３Ａに送信する構成としてもよい。
【００８５】
［第２実施形態の効果］
以上説明した本実施形態に係る運動指導システム１Ａによれば、上記運動指導システム１と同様の効果を奏することができる他、以下の効果を奏することができる。
運動指導システム１Ａでは、筋肉量の算出処理や、指導内容の生成処理は、情報処理装置３Ａと通信接続されるサーバー４によって行われる。これによれば、情報処理装置３Ａの処理負担を軽減できる他、サーバー４が複数の使用者の情報を一元管理できる。
【００８６】
［実施形態の変形］
本発明は、上記実施形態に限定されるものではなく、本発明の目的を達成できる範囲での変形、改良等は本発明に含まれるものである。
上記各実施形態では、スポーツにおける特定の動きに関する指導内容が生成及び提示された。しかしながら、本発明はこれに限らない。例えば、あるスポーツの第一人者の筋肉の付き方を参考にし、当該第一人者の筋肉の付き方と使用者の筋肉の付き方との差異を抽出し、当該差異が解消されるような指導内容が生成されてもよい。この場合、身体におけるどの部位を鍛錬すべきかを示す指導内容が生成及び提示されてもよい。
また、特定の動きについても、クラブのスイング等の比較的短時間で終了する動きでなくてもよく、長距離走のフォームのように、比較的長時間継続する動きであってもよい。
【００８７】
上記各実施形態では、記憶部３４，４２には、理想的な身体の動きの内容、及び、理想的な筋肉の付き方を含む理想形が運動の種別毎に記憶されているとした。しかしながら、本発明はこれに限らない。すなわち、解析部３５９による解析結果に基づいて使用者ＵＳの筋肉の付き方に起因する問題点を把握できれば、当該理想形は記憶されていなくてもよく、また、当該理想形に含まれる内容のうちいずれかのみが記憶されていてもよい。
【００８８】
上記各実施形態では、測定部位提示画面Ｓ２により、使用者ＵＳにより選択された実施予定種別に応じた筋肉の測定部位が使用者ＵＳに提示されるとした。しかしながら、本発明はこれに限らない。すなわち、このような画面Ｓ２は表示されなくてもよい。
また、当該測定部位提示画面Ｓ２は、実施予定種別が選択又は入力された後、必ず表示されるものでなくてもよい。例えば、上記のように、筋肉の鍛錬（トレーニング）を実施しても２週間ほどは変化がないことから、２週間等の所定期間毎に、当該画面Ｓ２が表示されるように構成してもよい。更に、左右のバランスが取れていない箇所等、筋肉の付き方に問題がある測定部位が示され、特段の問題がない測定部位については示されない測定部位提示画面Ｓ２が表示されてもよい。このように、筋肉量の測定部位が減少すれば、使用者ＵＳの負担を軽減できる。
【００８９】
上記各実施形態では、生成される指導内容には、差異抽出部３６０によって抽出された差異を解消するために使用者ＵＳが鍛えるべき筋肉の部位、及び、当該差異を解消するための筋肉の使い方が含まれるとした。しかしながら、本発明はこれに限らない。例えば、当該指導内容には、使用者ＵＳが鍛えるべき筋肉の部位、及び、当該差異を解消するための筋肉の使い方のいずれかのみが含まれていてもよい。また、これらとは異なる情報が含まれていてもよい。
【００９０】
上記各実施形態では、測定装置２は、動きセンサー２１による計測結果、及び、測定シート２２を用いて算出された生体インピーダンス値を検出結果情報として情報処理装置３，３Ａに送信するとした。しかしながら、本発明はこれに限らない。例えば、使用者ＵＳに装着される測定装置２に、上記情報処理装置３の機能を含めてもよい。すなわち、本発明の運動指導システムが、１つの装置によって構成されていてもよい。また、測定装置２と情報処理装置３Ａとが一体化されていてもよい。
【００９１】
上記各実施形態にて示した各画面Ｓ１〜Ｓ４，ＤＳ（ＤＳ１〜ＤＳ５）に含まれる内容や、当該各画面Ｓ１〜Ｓ４，ＤＳのレイアウトは、上記各図で示した内容及びレイアウトに限らない。すなわち、各画面の構成は、適宜変更可能である。
【００９２】
上記各実施形態では、動きセンサー２１は、使用者ＵＳに装着されるとした。この際、当該動きセンサー２１は、使用者ＵＳの身に付けられる構成を介して使用者ＵＳに装着されてもよい。例えば、使用者ＵＳが眼鏡、ＨＭＤ（Head Mounted Display）及び腕時計等の装着部品を装着している場合には、当該装着部品に動きセンサー２１が取り付けられてもよい。すなわち、動きセンサー２１は、使用者ＵＳの動きを計測可能であれば、当該使用者ＵＳの身体に直接装着されなくてもよい。
【００９３】
上記各実施形態では、本発明の運動指導プログラムは、運動指導アプリケーションに含まれ、当該運動指導アプリケーションは、記憶部３４，４２に予め記憶されているとした。しかしながら、本発明はこれに限らない。例えば、当該運動指導プログラムは、運動指導アプリケーションの実行に伴って、ディスク型記録媒体等の記録媒体から読み出されて実行される構成としてもよく、ネットワーク上のサーバー等から取得されて実行される構成としてもよい。
【符号の説明】
【００９４】
１，１Ａ…運動指導システム、２…測定装置（体動検出装置、筋肉量測定装置）、２２…測定シート（測定部）、３，３Ａ…情報処理装置（運動指導装置、指導内容生成装置）、３１…操作部、３２１…表示部（測定部位提示部、指導内容提示部）、３４…記憶部、３５４…画面生成部（測定部位提示部、指導内容提示部）、３５５…情報取得部（体動取得部、種別取得部）、３５７…筋肉量取得部、３６０…差異抽出部、３６１…指導内容生成部、４…サーバー（指導内容生成装置）、４２…記憶部、４３１…送受信部（体動取得部、種別取得部）。
【図１】
2017000454.tif 000003
【図２】
2017000454.tif 000004
【図３】
2017000454.tif 000005
【図４】
2017000454.tif 000006
【図５】
2017000454.tif 000007
【図６】
2017000454.tif 000008
【図１２】
2017000454.tif 000009
【図１３】
2017000454.tif 000010
【図１４】
2017000454.tif 000011
【図１５】
2017000454.tif 000012
【図１６】
2017000454.tif 000013
【図１７】
2017000454.tif 000014
【図１８】
2017000454.tif 000015
【図１９】
2017000454.tif 000016
【図７】
2017000454.tif 000017
【図８】
2017000454.tif 000018
【図９】
2017000454.tif 000019
【図１０】
2017000454.tif 000020
【図１１】
2017000454.tif 000021